(57)【要約】      （修正有）【課題】組立・収納が簡単で経済性、防音性に優れるとともに環境に優しい発電機用組立式防音ボックスを提供する。【解決手段】上面と下面が解放され、発電機を囲む第１の側板１から第４の側板４は、連結部分の下方に隙間５を形成するようにして連結されている発電機用組立式防音ボックスであって、各側板は、紙を解繊したセルローズファイバーが主成分の難燃防音マット１０を装着したダンボール９で構成されている。第１の側板１と第２の側板２及び第３の側板３と第４の側板４は、それぞれ複数個の接続テープ６により連結されており、第１の側板１と第４の側板４及び第２の側板２と第３の側板３は、それぞれ複数個の面ファスナー７により、着脱可能に連結されている。【選択図】図１
0003230856.tif 000002
【実用新案登録請求の範囲】
【請求項１】
上面と下面が解放され、発電機を囲む第１の側板から第４の側板は、連結部分の下方に隙間を形成するようにして連結されている発電機用組立式防音ボックスであって、
各側板は、紙を解繊したセルローズファイバーが主成分の難燃防音マットを装着したダンボールで構成されていることを特徴とする発電機用組立式防音ボックス。
【請求項２】
上記第１の側板と第２の側板及び第３の側板と第４の側板は、それぞれ複数個の接続テープにより連結されており、上記第１の側板と第４の側板及び第２の側板と第３の側板は、それぞれ複数個の面ファスナーにより、着脱可能に連結されていることを特徴とする請求項１に記載の発電機用組立式防音ボックス。
【請求項３】
上記複数個の接続テープは、各側板の連結部分の下方に隙間を形成するように、上記第１の側板ないし第４の側板への固定位置又は接続テープの長さを調整して、各側板に接着されていることを特徴とする請求項２に記載の発電機用組立式防音ボックス。
【請求項４】
上記第１の側板から第４の側板のうちのいずれかの側板の上記発電機の排気口に対向する面に、金属板を配置したことを特徴とする請求項１ないし請求項３のいずれか１項に記載の発電機用組立式防音ボックス。
【請求項５】
対向する２枚の側板の対向する位置に、取っ手となる切欠部が形成されていることを特徴とする請求項１ないし請求項４のいずれか１項に記載の発電機用組立式防音ボックス。
【考案の詳細な説明】
【技術分野】
【０００１】
本考案は、発電機用組立式防音ボックスに関する。
【背景技術】
【０００２】
これ迄に発電機用防音ボックスには、金属、プラスチック、木材などの素材が使用され、防音材としてはグラスウールが使用されている。このため、発電機用防音ボックスとしては発電機本体よりも高価の物が多かった。
【０００３】
例えば、特許文献１では、ポータブル発電機を使用する際に発生する騒音を低減し、発熱の影響を受けずに長時間の使用が可能であり、運転停止時にも余熱による発電機の破損がなく、悪天候時の戸外での使用も可能な防音ボックスが提案されている。
【０００４】
この防音ボックスでは、ポータブル発電機の騒音防止の効果は認められるが、装置が大掛かりとなっており、高価であるばかりでなく、防音ボックスが不要な時の保管スペースが必要である。
さらに、グラスウール製の防音材を使用しているため、環境性が十分ではない。
【先行技術文献】
【特許文献】
【０００５】
【特許文献１】特開２０１７−１２９０１４号公報
【特許文献２】特開２０１７−８９２０８号公報
【特許文献３】特許第６４０２２９９号公報
【考案の概要】
【考案が解決しようとする課題】
【０００６】
本考案は従来の発電機用組立式防音ボックスの問題点を解決し、組立・収納が簡単で経済性、防音性に優れるとともに環境に優しい発電機用組立式防音ボックスを提供することを課題とする。
【課題を解決するための手段】
【０００７】
本考案の上記課題を解決するための手段は、次のとおりである。
（１）上面と下面が解放され、発電機を囲む第１の側板から第４の側板は、連結部分の下方に隙間を形成するようにして連結されている発電機用組立式防音ボックスであって、各側板は、紙を解繊したセルローズファイバーが主成分の難燃防音マットを装着したダンボールで構成されていることを特徴とする発電機用組立式防音ボックス。
（２）上記第１の側板と第２の側板及び第３の側板と第４の側板は、それぞれ複数個の接続テープにより連結されており、上記第１の側板と第４の側板及び第２の側板と第３の側板は、それぞれ複数個の面ファスナーにより、着脱可能に連結されていることを特徴とする上記（１）に記載の発電機用組立式防音ボックス。
（３）上記複数個の接続テープは、各側板の連結部分の下方に隙間を形成するように、上記第１の側板ないし第４の側板への固定位置又は接続テープの長さを調整して、各側板に接着されていることを特徴とする上記（２）に記載の発電機用組立式防音ボックス。
（４）第１の側板から第４の側板のうちのいずれかの側板の上記発電機の排気口に対向する面に、金属板を配置したことを特徴とする上記（１）ないし（３）のいずれかに記載の発電機用組立式防音ボックス。
（５）対向する２枚の側板の対向する位置に、取っ手となる切欠部が形成されていることを特徴とする上記（１）ないし（４）のいずれかに記載の発電機用組立式防音ボックス。
【考案の効果】
【０００８】
本考案に係る発電機用組立式防音ボックスによれば、次のような効果が得られる。
（１）組立・収納が簡単な発電機用組立式防音ボックスが得られる。
（２）第１の側板から第４の側板は、紙を解繊したセルローズファイバーが主成分の難燃防音マットを装着したダンボールで構成されているため、環境性に優れるとともに軽量かつ経済性に優れた発電機用組立式防音ボックスが得られる。
（３）使用している難燃防音マットは、防音性能が高く、またリサイクルが可能で環境性にも優れている。
【図面の簡単な説明】
【０００９】
【図１】本考案に係る発電機用組立式防音ボックスの斜視図である。
【図２】発電機用組立式防音ボックスの一例の写真である。
【図３】発電機と金属板を配置した発電機用組立式防音ボックスの写真である。
【考案を実施するための形態】
【００１０】
（本考案の着想）
断熱防音材として発明者は、古紙を解繊し難燃綿をマット化した難燃防音マットを提案している。（特許文献２、特許文献３参照）
このマットは、防音性能が良いばかりでなく、リサイクルが可能なため環境性にも優れている。
そこで本考案者は、段ボール製の４面筒状体の内側に、この難燃防音マットを装着するとともに、４隅を開口して吸排気の対流を可能とした発電機用防音ボックスの着想に至った。
【００１１】
本考案に係る発電機用組立式防音ボックスの実施例を例示して、本考案について以下詳細に説明する。
本考案に係る発電機用組立式防音ボックスは、その上面と下面が解放され、発電機を囲む第１の側板から第４の側板は、連結部分の下方に隙間を形成するようにして連結されている。
各側板は、紙を解繊したセルローズファイバーが主成分の難燃防音マットを装着したダンボールで構成されている。
【００１２】
（実施例）
図１は、本考案に係る上面と下面が解放された発電機用組立式防音ボックスの斜視図である。
図１において、１は第１の側板、２は第２の側板、３は第３の側板、４は第４の側板であり、図示しない発電機を囲んでいる。
【００１３】
第１ないし第４の側板は、連結部分の下方に隙間５を形成するようにして連結されている。
この隙間５により、発電機の吸排気の対流が可能となる。
また、この隙間５に、発電機の電源ケーブルを通すことができる。
【００１４】
第１の側板１と第２の側板２及び第３の側板３と第４の側板４は、それぞれ複数の接続テープ６により連結されている。
複数個の接続テープは、各側板の連結部分の下方に隙間を形成するように、第１の側板ないし第４の側板への固定位置を調整して、各側板に接着されている。また、第１の側板ないし第４の側板への固定位置を変えずに接続テープの長さを調整して、各側板に接着してもよい。
【００１５】
第１の側板１と第４の側板４及び第２の側板２と第３の側板３は、それぞれ複数個の面ファスナー７により、着脱可能に連結されている。
本考案に係る発電機用組立式防音ボックスは、面ファスナー７による連結を解除することにより、二つに分解することができる。
【００１６】
第１の側板と第２の側板及び第３の側板と第４の側板は、それぞれ複数個の接続テープにより連結し、第１の側板と第４の側板及び第２の側板と第３の側板は、それぞれ複数個の面ファスナーにより連結しているため、面ファスナーによる連結を解除し、接続テープを折り曲げることにより、発電機用組立式防音ボックスを簡単かつコンパクトに収納できる。
このため、本考案に係る発電機用組立式防音ボックスは、設置、組立、収納、保管の点でも優れている。
【００１７】
本考案に係る発電機用組立式防音ボックスは、第１ないし第４の側板を、紙を解繊したセルローズファイバーが主成分の難燃防音マットを装着したダンボールで構成している。
ダンボールはリサイクル可能であることから、環境性に優れるとともに軽量かつ経済性に優れた発電機用組立式防音ボックスが得られる。
【００１８】
さらに、紙を解繊したセルローズファイバーが主成分の難燃防音マットを装着したダンボールを側板としているため、発電機から発生する騒音を大幅に軽減することができる。
ちなみに発電機より約１．５ｍ離れた同一地点・同一条件での計測の結果、発電機単独で運転した場合８１．３ｄｂであった騒音が、実施例に示す発電機用組立式防音ボックスを使用した場合は７１．０ｄｂと、大幅に低減された。
【００１９】
（金属板の配置）
発電機を使用する際に発生する排気熱を防御し長時間運転が可能にするため、発電機の排気口に対向する面に、アルミ板のような金属板を配置するのが好ましい。
例えば、排気口に対向する第１の側板の発電機の外面に、面ファスナー７を固着し、金属板を吊り下げている面ファスナーをこれに固定することにより、排気口に対向して金属板を配置することができる。
【００２０】
発電機用組立式防音ボックスの一例の写真を図２に示す。発電機用組立式防音ボックスの左側面には、金属板を吊り下げている面ファスナーが２個認められる。
さらに、この例では、発電機用組立式防音ボックスの右側面に、帯状に面ファスナー固着している。このため、発電機の排気口の位置が実施例のものと異なる場合であっても、金属板を吊り下げている面ファスナーを適切な位置で固定することができる。
【００２１】
次に、この発電機用組立式防音ボックスに、発電機と金属板を実際に配置した写真を、図３に示す。
発電機の排気口に対向する発電機用組立式防音ボックスの側板の表面に、面ファスナーに吊り下げられている金属板が認められる。
また、側板の連結部分の下方に、隙間が形成されていることが分かる。
【００２２】
（防音蓋）
発電機用組立式防音ボックスの解放された上面に、防音蓋を被せることができる。
防音蓋による防音の効果と解放された上面からの発電機の吸排気とは、トレードオフの関係にある。防音蓋を、解放された上面から隙間を開けてずらして被せて、この隙間を調整することで、発電機用組立式防音ボックスの最適の使用が達成される。
【００２３】
（本考案の技術的範囲）
以上、本考案に係る発電機用組立式防音ボックスについて好適な実施例を例示して説明したが、この実施例は、本考案の技術的範囲を限定するものではなく、実用新案登録請求の範囲に記載された本考案の要旨を逸脱しない範囲内で各種の変更や修正を加えることができることは、言うまでもないことである。
【符号の説明】
【００２４】
１  第１の側板
２  第２の側板
３  第３の側板
４  第４の側板
５  隙間
６  接続テープ
７  面ファスナー
８  取っ手となる切欠部
９  ダンボール
１０  難燃防音マット
【図１】
0003230856.tif 000003
【図２】
0003230856.tif 000004
【図３】
0003230856.tif 000005